(57)【要約】【課題】二次電池の劣化を抑制しつつ、充電時間の短縮を図ることができる二次電池の充放電制御装置を提供する。【解決手段】二次電池２の充放電制御装置１は、車両に搭載される。そして、充放電制御装置１は、劣化情報推定部２０、入出力領域設定部３０、充放電制御部５０を備える。劣化情報推定部２０は、二次電池２の劣化情報を推定する。入出力領域設定部３０は、二次電池２において予め定められた入出力の初期許容領域を、劣化情報推定部２０の推定結果に基づいて拡大するように制御する。充放電制御部５０は、入出力領域設定部３０により初期許容領域が拡大されてなる拡大許容領域内で行うように制御する。【選択図】図１
2020188628.tif 000002
【特許請求の範囲】
【請求項１】
車両に搭載された二次電池（２）の充放電制御装置（１）であって、
上記二次電池の劣化情報を推定する劣化情報推定部（２０）と、
上記二次電池において予め設定された入出力許容領域を、上記劣化情報推定部の推定結果に基づいて拡大して拡大許容領域を設定する入出力領域設定部（３０）と、
上記拡大許容領域内で上記二次電池の充放電を行うように制御する充放電制御部（５０）と、を備える二次電池の充放電制御装置。
【請求項２】
上記入出力領域設定部は、予め設定された上記二次電池の電池温度の上限値及び入出力値の絶対値の上限値の少なくとも一方を引き上げることにより、上記拡大許容領域を設定する、請求項１に記載の充放電制御装置。
【請求項３】
上記入出力領域設定部は、上記二次電池の劣化情報と所定の劣化基準値との比較結果に基づいて、上記拡大許容領域を設定する、請求項１又は２に記載の充放電制御装置。
【請求項４】
上記充放電制御部は、上記拡大許容領域内で上記二次電池の急速充電を行うように制御をする、請求項１〜３のいずれか一項に記載の充放電制御装置。
【請求項５】
上記充放電制御部は、上記車両の走行中の充放電を上記拡大許容領域内で行うように制御をする、請求項１〜４のいずれか一項に記載の充放電制御装置。
【請求項６】
上記二次電池を冷却する冷却部（３）の冷却性能を制御する冷却性能制御部（６０）を有し、該冷却性能制御部は、上記入出力領域設定部が上記拡大許容領域を設定した場合に上記冷却部の冷却性能を引き上げる、請求項１〜５のいずれか一項に記載の充放電制御装置。
【請求項７】
上記冷却性能制御部は、上記二次電池の急速充電が行われていない非急速充電期間内において、上記冷却部の冷却性能を引き上げる、請求項６に記載の充放電制御装置。
【請求項８】
上記入出力領域設定部は、ユーザによる操作上方の入力が可能な操作入力部（４０）を有し、該操作入力部に入力された操作に基づいて、上記拡大許容領域の設定の要否を判断する、請求項１〜７のいずれか一項に記載の充放電制御装置。
【発明の詳細な説明】
【技術分野】
【０００１】
本発明は、二次電池の充放電制御装置に関する。
【背景技術】
【０００２】
従来、車両に搭載された二次電池を含む電源装置において、二次電池の劣化を抑制して長寿命化することなどを目的として、二次電池の温度を制御することが行われている。二次電池は充電時に発熱して温度が上昇するため、温度が過度に上昇しないように充電を制御することが行われている。特許文献１に開示の構成では、予め定められた二次電池ごとの電池温度の上限値と、充電開始時に検出された電池温度との差に基づいて、充電レートを設定して充電を行うように構成されている。
【先行技術文献】
【特許文献】
【０００３】
【特許文献１】特許第５５９８６０１号公報
【発明の概要】
【発明が解決しようとする課題】
【０００４】
近年の二次電池の大容量化に伴って、充電時間短縮のニーズが一層高まっている。しかしながら、特許文献１に開示の構成では、温度上昇にともなって充電レートを低下させることとなるため、単位時間当たりの充電量が低下し、その結果、所定の充電量に達するまでの時間が延び、充電時間短縮のニーズに応えることができない。
【０００５】
本発明は、かかる課題に鑑みてなされたもので、二次電池の劣化を抑制しつつ、充電時間の短縮を図ることができる二次電池の充放電装置を提供しようとするものである。
【課題を解決するための手段】
【０００６】
本発明の一態様は、車両に搭載された二次電池（２）の充放電制御装置（１）であって、
上記二次電池の劣化情報を推定する劣化情報推定部（２０）と、
上記二次電池において予め設定された入出力許容領域を上記劣化情報推定部の推定結果に基づいて拡大して拡大許容領域を設定する入出力領域設定部（３０）と、
上記拡大許容領域内で上記二次電池の充放電を行うように制御する充放電制御部（５０）と、を備える二次電池の充放電制御装置にある。
【発明の効果】
【０００７】
上記二次電池の充放電制御装置においては、二次電池の劣化情報を推定して推定結果に基づいて予め設定された許容領域を拡大するように制御し、拡大した許容領域内で充放電を行うように構成されている。これにより、劣化情報に応じた電流値で充放電が行われることにより充電電流が過度に抑制されないため、二次電池の劣化を抑制しつつ、充電時間の短縮を図ることができる。
【０００８】
以上のごとく、上記態様によれば、二次電池の劣化を抑制しつつ、充電時間の短縮を図ることができる二次電池の充放電制御装置を提供することができる。
【０００９】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１０】
【図１】実施形態１における、二次電池の充放電制御装置の構成を示す図。
【図２】実施形態１における、二次電池の（ａ）電池温度の変化、（ｂ）容量維持率、（ｃ）入出力の許容領域を示す概念図。
【図３】実施形態１における、二次電池の（ａ）電池温度の変化、（ｂ）容量維持率及び（ｃ）冷却性能引き上げ量を示す概念図。
【図４】（ａ）他の実施形態における、二次電池の入出力の許容領域を示す概念図、（ｂ）さらに他の実施形態における、二次電池の入出力の許容領域を示す概念図。
【図５】実施形態１における、二次電池の充放電制御装置の制御態様を示すフロー図。
【図６】変形形態１における、二次電池の（ａ）電池温度の変化、（ｂ）容量維持率、（ｃ）入出力電力の変化を示す概念図。
【図７】実施形態２における、二次電池の充放電制御装置の構成を示す図。
【図８】実施形態２における、二次電池の充放電制御装置の制御態様を示すフロー図。
【図９】実施形態２における、二次電池の入出力許容領域の拡大量を示す概念図。
【発明を実施するための形態】
【００１１】
（実施形態１）
上記二次電池の充放電制御装置の実施形態について、図１〜図５を用いて説明する。
本実施形態の二次電池２の充放電制御装置１（以下、「充放電制御装置１」ともいう）は、車両に搭載される。そして、充放電制御装置１は、劣化情報推定部２０、入出力領域設定部３０、充放電制御部５０を備える。
劣化情報推定部２０は、二次電池２の劣化情報を推定する。
入出力領域設定部３０は、二次電池２において予め定められた入出力の初期許容領域を、劣化情報推定部２０の推定結果に基づいて拡大するように制御する。
充放電制御部５０は、入出力領域設定部３０により初期許容領域が拡大されてなる拡大許容領域内で行うように制御する。
【００１２】
以下、本実施形態の充放電制御装置１について、詳述する。
本実施形態の充放電制御装置１は車両に搭載され、車両の電源を構成する二次電池２の温度を制御する。二次電池２の種類は特に限定されず、本実施形態では、二次電池２はリチウムイオン二次電池であって、複数備えられて電池パックを構成している。
【００１３】
図１に示すように、充放電制御装置１は、電池情報取得部１０、劣化情報推定部２０、入出力領域設定部３０、操作入力部４０、充放電制御部５０、冷却性能制御部６０を備える。
【００１４】
図１に示す電池情報取得部１０は、二次電池２の電池情報を取得する。電池情報としては、二次電池２における温度、電圧、電流、抵抗、充電状態などとすることができる。電池情報取得部１０が取得した電池情報は、書き換え可能なメモリからなる図示しない記憶部に格納される。
【００１５】
図１に示す劣化情報推定部２０は、電池情報取得部１０により取得された電池情報に基づいて、二次電池２の劣化情報を推定する。二次電池２の劣化情報の推定方法は公知の技術を用いることができ、例えば、モデル電池で加速試験を行って電池電圧と充電状態と容量維持率との対応関係を示すマップや関係式を予め作成しておき、これらに基づいて劣化情報として容量維持率を推定することができる。また、これに替えて、二次電池の劣化情報を推定するための論理式を用意し、これに基づいて劣化情報を推定することとしてもよい。当初の満充電容量に対する容量維持率は、使用に伴って徐々に低下していく。そして、容量維持率が所定値を下回ったときを寿命とすることができる。本実施形態では、図２（ｂ）、図３（ｂ）に示すように、劣化情報推定部２０は、劣化情報として容量維持率を推定して、当該推定値を容量維持率の現在値Ｐｎとして取得する。なお、図２（ｂ）、図３（ｂ）において容量維持率の想定値Ｐ０は、予めシステム上で設定されている。
【００１６】
図１に示す入出力領域設定部３０は、二次電池２における入出力許容領域を設定する。二次電池２における入出力許容領域は、二次電池２の入出力値の許容範囲、又は二次電池２の電池温度の許容範囲として設定することができる。なお、二次電池２における入出力許容領域として、予め定められた初期許容領域が設定されている。初期許容領域は、二次電池２における電池性能や設計要件に基づいて定まる二次電池２の寿命からシステム上で適宜設定されるものである。通常、システム上で初期許容領域は、個々の二次電池２における使用制限に対して所定のマージンを設けて設定されている。
【００１７】
そして、入出力領域設定部３０は、劣化情報推定部２０による推定結果としての劣化情報に基づいて、初期許容領域を拡大した拡大許容領域を設定する。初期許容領域の拡大は、予め設定された二次電池２の電池温度又は入出力値の絶対値の許容範囲の上限を引き上げることにより行うことができる。本実施形態では、図２（ａ）に示すように、急速充電期間Ｒ１において、二次電池２の電池温度における初期許容領域の上限値Ｌ１を引き上げて拡大許容領域の上限値Ｌ２を設定することとしている。すなわち、図２（ｃ）に示すように、初期許容領域Ａ０から上限値Ｌ２に対応する領域Ａ１が拡大されて拡大許容領域Ａ０＋Ａ１が設定される。なお、上限値Ｌ１の引き上げ量は限定されないが、本実施形態では、上限値Ｌ１の引き上げ量は、拡大許容領域の上限値Ｌ２が二次電池２において電池設計等から定められた使用可能な範囲である制限温度、制限入出力値となるように設定する。なお、急速充電とは、普通充電よりも高い電流値で充電することにより普通充電よりも充電速度を速めたものであって、例えば、普通充電の２倍以上の充電速度を呈することができる。
【００１８】
図１に示すように、充放電制御装置１は操作入力部４０を有しており、操作入力部４０は、ユーザからの操作の入力が可能に構成されている。操作入力部４０の構成は特に限定されない。本実施形態では、操作入力部４０は、ユーザ４が初期許容領域の拡大の要否、すなわち、拡大許容領域の設定の要否を入力することができるように構成されている。
【００１９】
図１に示す充放電制御部５０は、二次電池２の充放電を制御する。入出力領域設定部３０により拡大許容領域が設定されている場合には、充放電制御部５０は当該拡大許容領域内で充放電を行う。図２（ａ）に示すように、拡大許容領域内で充放電を行うことにより、電池温度は時間ｔ１以降において初期許容領域の上限値Ｌ１を超えて符号Ｕで示す領域分の劣化が促進される。これにより、図２（ｂ）に示すように、時間ｔ１以降において容量維持率の低下割合が上昇することとなる。一方、拡大許容領域が設定されていない場合には、充放電制御部５０は初期許容領域内で充放電を行う。
【００２０】
図１に示す冷却性能制御部６０は、二次電池２に接続された冷却部３の冷却性能を制御する。冷却部３の構成は特に限定されず、空冷、水冷など公知の構成とすることができる。そして、冷却性能制御部６０においてもその構成は特に限定されず、冷却部３の構成に合わせて適宜設定することができる。冷却性能制御部６０は、入出力領域設定部３０による拡大許容領域が設定された場合に、冷却部３の冷却性能を引き上げるように制御する。
【００２１】
図１に示す冷却性能制御部６０による冷却性能の引き上げを反映させるタイミングは適宜設定することができる。例えば、冷却性能制御部６０において冷却部３の冷却性能を引き上げるように制御することが決定された後の所定のタイミングとすることができる。本実施形態では、図２（ａ）に示すように、車両において二次電池２の急速充電期間Ｒ１において冷却性能を高めることが決定された場合、図３（ａ）及び図３（ｂ）に示すように、急速充電後の車両走行中である非急速充電期間Ｒ２において冷却要求を出力して、冷却部３の冷却性能の引き上げを反映させる。冷却性能の引き上げ量は限定されないが、例えば、図３（ｃ）に示すように、図３（ｂ）に示す容量維持率の想定値Ｐ０と現在値Ｐｎとの差分に応じて設定することができる。
【００２２】
次に、充放電制御装置１による制御フローについて、図５を参照して説明する。
まず、図５に示すステップＳ１において、充放電制御部５０により二次電池２が急速充電状態であるか否かを判断する。ステップＳ１において、二次電池２が急速充電状態ではないと判断された場合はステップＳ１のＮｏに進み、この制御フローを終了する。
【００２３】
一方、図５に示すステップＳ１において、二次電池２が急速充電状態であると判断された場合はステップＳ１のＹｅｓに進む。そして、ステップＳ２において、操作入力部４０によりユーザ４から入出力許容領域の拡大を行うことを示す操作が入力されたか否かを判断する。ステップＳ２において、入出力許容領域の拡大を行うことを示す操作が入力されていないと判断された場合は、ステップＳ２のＮｏに進み、この制御フローを終了する。
【００２４】
図５に示すステップＳ２において、入出力許容領域の拡大を行うことを示す操作が操作入力部４０に入力されたと判断された場合は、ステップＳ２のＹｅｓに進む。そして、ステップＳ３において、劣化情報推定部２０により、二次電池２の劣化情報としての容量維持率を推定して、当該推定値を容量維持率の現在値Ｐｎとして取得する。
【００２５】
その後、図５に示すステップＳ４において、入出力領域設定部３０により、予め設定された容量維持率の想定値Ｐ０と容量維持率の現在値Ｐｎとを比較する。本実施形態では、想定値Ｐ０に対して所定のマージンを考慮するために、現在値Ｐｎからマージンαを差し引いたものと想定値Ｐ０とを比較して、現在値Ｐｎ−αが想定値Ｐ０よりも大きいか否かを判断する。ステップＳ４において、容量維持率の現在値Ｐｎ−αが想定値Ｐ０よりも大きくないと判断された場合は、ステップＳ４のＮｏに進む。そして、ステップＳ５において、入出力領域設定部３０は二次電池２における入出力の初期許容領域の拡大を行わず、すなわち拡大許容領域を設定せずに、充放電制御部５０により充放電を行い、この制御フローを終了する。
【００２６】
一方、図５に示すステップＳ４において、容量維持率の現在値Ｐｎ−αが想定値Ｐ０よりも大きいと判断された場合は、ステップＳ４のＹｅｓに進む。そして、ステップＳ６において、入出力領域設定部３０は二次電池２における入出力の初期許容領域の拡大を行い、拡大許容領域を設定して充放電制御部５０により充放電を行う。この場合、例えば、図２（ａ）に示すように、時間ｔ１において電池温度が初期許容領域の上限値Ｌ１を超えて上昇し、時間ｔ２において拡大許容領域の上限値Ｌ２までの電池温度で急速充電が行われる。これにより、図２（ｂ）に示すように、時間ｔ１以降の充電維持率の現在値Ｐｎの低下割合は想定値Ｐ０の低下割合よりも大きくなって、劣化が促進されることとなる。
【００２７】
その後、図５に示すステップＳ７において、再度、劣化情報推定部２０により劣化情報として二次電池２の容量維持率の現在値Ｐｎを推定する。そして、ステップＳ８において、予め設定された容量維持率の想定値Ｐ０と現在値Ｐｎとを比較し、容量維持率の現在値Ｐｎが想定値Ｐ０よりも小さいか否かを判断する。容量維持率の現在値Ｐｎが想定値Ｐ０よりも小さいと判断された場合は、ステップＳ８のＹｅｓに進み、ステップＳ９において、冷却性能制御部６０により、二次電池２の非急速充電期間Ｒ２において、冷却性能制御部６０による冷却部３の冷却性能を引き上げる制御を行うことを決定し、制御フローを終了する。
【００２８】
一方、図５に示すステップＳ８において、容量維持率の現在値Ｐｎが想定値Ｐ０よりも小さくないと判断された場合は、ステップＳ８のＮｏに進み、ステップＳ１０において、冷却性能制御部６０による冷却部３の冷却性能を引き上げる制御を行わない、すなわち冷却性能を維持することを決定し、制御フローを終了する。
【００２９】
図５に示すステップＳ９において、冷却性能制御部６０による冷却部３の冷却性能を引き上げる制御を行うことを決定した場合には、制御フローの終了後、非急速充電期間Ｒ２が到来した時点で、冷却部３の冷却性能を引き上げる。この場合、例えば、図３（ａ）に示すように、走行中などの非急速充電期間Ｒ２において、Ｑ０で示す冷却部３の冷却性能の引き上げをさせない場合の冷却要求出力の時間ｔ４よりも早い時間ｔ３で、引き上げ後の冷却性能で冷却要求を行う。これにより、図３（ｂ）に示すように、時間ｔ３以降において、二次電池２が一層冷却されて劣化の進行が抑制され、充電維持率の現在値Ｐｎの低下割合は想定値Ｐ０の低下割合よりも小さくなる。その結果、充電維持率は想定値Ｐ０と同等又は想定値Ｐ０よりも大きい値となる。なお、当該冷却性能の引き上げは、非急速充電期間Ｒ２の少なくとも一部において行うことができる。当該冷却性能の引き上げを行う期間は、二次電池２の劣化度合いに基づいて適宜決定することができる。
【００３０】
次に、本実施形態の充放電制御装置１における作用効果について、詳述する。
本実施形態の充放電制御装置１においては、予め設定された許容領域を二次電池２の劣化情報の推定結果に基づいて拡大するように制御し、拡大した許容領域内で充放電を行うように構成されている。これにより、劣化情報に応じた電流値で充放電が行われることにより充電電流が過度に抑制されないため、二次電池２の劣化を抑制しつつ、充電時間の短縮を図ることができる。
【００３１】
さらに本実施形態では、入出力領域設定部３０は、予め設定された二次電池２の電池温度の上限値を引き上げることにより、図２（ｃ）に示すように、拡大許容領域を設定する。これにより、二次電池２の充電時間の短縮化を図ることが容易となる。なお、入出力領域設定部３０は、図２（ｃ）に示すように予め設定された二次電池２の電池温度の上限値を引き上げることに替えて、図４（ａ）に示すように予め設定された二次電池２の入出力値の絶対値の上限値を引き上げることとしてもよい。この場合には初期許容領域Ａ０から当該上限値の引き上げ量に応じた領域Ａ２が拡大されて拡大許容領域Ａ０＋Ａ２が設定される。なお、この場合も、二次電池２の充電時間の短縮化を図ることが容易となる。さらに、入出力領域設定部３０は、図４（ｂ）に示すように予め設定された二次電池２の電池温度の上限値を引き上げるとともに、予め設定された二次電池２の入出力値の絶対値の上限値を引き上げることの両方を行うこととしてもよい。この場合には、入出力領域設定部３０により、初期許容領域Ａ０から、各上限値の引き上げ量に応じた領域Ａ１、Ａ２に加えて、両上限値の引き上げに応じた領域Ａ３が拡大されて拡大許容領域Ａ０＋Ａ１＋Ａ２＋Ａ３が設定される。この場合には、二次電池２の充電時間の一層の短縮化を図ることが容易となる。
【００３２】
さらに本実施形態では、入出力領域設定部３０は、二次電池２の劣化情報としての容量維持率の現在値Ｐｎと所定の劣化基準値である容量維持率の想定値Ｐ０との比較結果に基づいて、拡大許容領域を設定する。これにより、二次電池２の寿命をより高精度に想定の範囲内に納めつつ、二次電池２の充電時間の短縮化を図ることができる。
【００３３】
さらに本実施形態では、充放電制御部５０は、拡大許容領域内で二次電池２の急速充電を行うように制御をする。これにより、二次電池２の寿命をより高精度に想定の範囲内に納めつつ、二次電池２の急速充電に要する時間の短縮化を図ることができるため、急速充電に要する時間の短縮化というユーザのニーズに確実に応えることができる。
【００３４】
さらに本実施形態では、二次電池２を冷却する冷却部３の冷却性能を制御する冷却性能制御部６０を有し、冷却性能制御部６０は、入出力領域設定部３０が拡大許容領域を設定した場合に冷却部３の冷却性能を引き上げる。これにより、二次電池２の劣化を遅延させることができる。そのため、拡大許容領域において、初期許容領域よりも拡大された範囲で二次電池２の充電行った場合に促進された二次電池２の劣化量を、当該冷却部３の冷却性能の引き上げによる劣化の遅延で相殺して、二次電池２の劣化を初期の想定内に納めることができる。
【００３５】
さらに本実施形態では、冷却性能制御部６０は、二次電池２が普通充電よりも高い電流値で充電する急速充電が行われていない非急速充電期間Ｒ２の少なくとも一部において、冷却部３の冷却性能を引き上げる。これにより、急速充電期間Ｒ１の短縮化を図りつつ、二次電池２の劣化を想定内に納めることができる。
【００３６】
さらに本実施形態では、入出力領域設定部３０は、ユーザ４による入力が可能な操作入力部４０を有し、操作入力部４０に入力された操作に基づいて、許容領域の拡大の要否を判断する。これにより、ユーザ４の希望に応じて充電時間の短縮を行うことができ、ユーザ４のニーズに一層応えることができる。
【００３７】
なお、本実施形態では、充放電制御部は、急速充電期間Ｒ１において拡大許容領域で充放電を行うこととしたが、これに替えて、図６（ａ）、図６（ｂ）に示す変形形態１のように、車両の走行中の非急速充電期間Ｒ２における時間ｔ５〜ｔ６で二次電池２の充放電を拡大許容領域内で行うように制御をすることとしてもよい。例えば、走行中の場合には、出力できる電池温度範囲が拡大するため、ドライバビリティの向上に寄与できる。また、入力できる電池温度範囲が拡大するため、ドライバビリティの向上に寄与できると共に、油圧ブレーキの長寿命化、小型化などを図ることができる。なお、時間ｔ５以降において符号Ｕで示す領域分の劣化が促進されるが、時間ｔ５〜ｔ６以外の期間において、実施形態１の場合と同様に冷却部３による冷却性能の引き上げによって劣化を遅延させて、促進された劣化分Ｕを相殺することができる。
【００３８】
以上のごとく、本実施形態及び変形形態によれば、二次電池２の劣化を抑制しつつ、充電時間の短縮を図ることができる二次電池２の充放電制御装置１を提供することができる。
【００３９】
（実施形態２）
実施形態１では、入出力領域設定部３０は、初期許容領域の上限値Ｌ１の引き上げ量を、拡大許容領域の上限値Ｌ２が二次電池２における使用可能な範囲である制限温度、制限入出力値となるように設定した。本実施形態では、図７に示すように、図１に示す冷却性能制御部６０を有しておらず、図７に示す拡大量設定部３５を有しており、拡大量設定部３５が劣化情報推定部２０により取得された劣化情報に基づいて、入出力領域設定部３０が設定する拡大許容領域における拡大量を設定する。また、本実施形態２では、図７に示すように、図１に示す操作入力部４０を備えていない。その他の構成要素は実施形態１の場合と同様であり、本実施形態においても実施形態１の場合と同一の符号を用いてその説明を省略する。
【００４０】
本実施形態の充放電制御装置１による制御フローについて説明する。
まず、図８に示すステップＳ２１において、電池情報取得部１０により二次電池２の現在の電池温度を取得する。その後、ステップＳ２２において、入出力領域設定部３０により、予め設定された二次電池２の電池温度の上限値と、電池情報取得部１０により取得した現在の電池温度との差が所定値以上であるか否かを判断する。ステップＳ２２において、二次電池２における電池温度の上限値と現在の電池温度との差が所定値以上でないと判断された場合は、ステップＳ２２のＮｏに進み、この制御フローを終了する。
【００４１】
一方、図８に示すステップＳ２２において、二次電池２における電池温度の上限値と現在の電池温度との差が所定値以上であると判断された場合は、ステップＳ２２のＹｅｓに進む。そして、ステップＳ２３において、劣化情報推定部２０により二次電池２の劣化情報として容量維持率の現在値Ｐｎを取得する。
【００４２】
その後、図８に示すステップＳ２４において、入出力領域設定部３０により、容量維持率の現在値Ｐｎ−αが想定値Ｐ０よりも大きいか否かを判断する。ステップＳ２４において、容量維持率の現在値Ｐｎ−αが想定値Ｐ０よりも大きくないと判断された場合は、ステップＳ２４のＮｏに進む。そして、ステップＳ２５において、拡大許容領域を設定せずに充放電制御部５０により充放電を行って、この制御フローを終了する。
【００４３】
一方、図８に示すステップＳ２４において、容量維持率の現在値Ｐｎ−αが想定値Ｐ０よりも大きいと判断された場合は、ステップＳ２４のＹｅｓに進む。そして、ステップＳ２６において、拡大量設定部３５により、図９に示すように劣化情報推定部２０により取得された容量維持率の想定値Ｐ０と現在値Ｐｎとの差に基づいて、電池温度の上限値の拡大量を設定する。その後、ステップＳ２７において、入出力領域設定部３０により拡大許容領域を設定し、充放電制御部５０により充放電を行って、この制御フローを終了する。
【００４４】
本実施形態の充放電制御装置１によれば、劣化情報を考慮した電池温度で充放電が行われることにより充電電流が過度に抑制されないため、二次電池２の劣化を抑制しつつ、充電時間の短縮を図ることができる。なお、実施形態１では入出力許容領域の拡大を急速充電時に行うことしたが、本実施形態ではこれに限らず、普通充電においても入出力許容領域の拡大を行うことが可能となっている。
そして、本実施形態においても、実施形態１において冷却性能制御部６０及び操作入力部４０を備えることによる作用効果を除いて、実施形態１の場合と同様の作用効果を奏する。
【００４５】
本発明は上記各実施形態に限定されるものではなく、その要旨を逸脱しない範囲において種々の実施形態に適用することが可能である。例えば、実施形態２において、実施形態１における操作入力部４０を備える構成としてもよい。
【符号の説明】
【００４６】
１  充放電制御装置
２  二次電池
３  冷却部
１０  電池情報取得部
２０  劣化情報推定部
３０  入出力領域設定部
３５  拡大量設定部
４０  操作入力部
５０  充放電制御部
６０  冷却性能制御部
【図１】
2020188628.tif 000003
【図２】
2020188628.tif 000004
【図３】
2020188628.tif 000005
【図４】
2020188628.tif 000006
【図５】
2020188628.tif 000007
【図６】
2020188628.tif 000008
【図７】
2020188628.tif 000009
【図８】
2020188628.tif 000010
【図９】
2020188628.tif 000011